(57)【要約】【課題】  ディスク倍速制御装置及び方法を提供する。【解決手段】  ディスク倍速を設定して所定通信規約によって倍速情報として出力するコンピュータと、コンピュータから通信規約による倍速情報を保存して、以後のディスク読取り時に該当倍速情報による倍速を適用するディスクドライブと、を含むことを特徴とするディスク倍速制御装置。本発明によれば、コンピュータでディスクドライブのディスク読取り倍速を設定すれば、ディスクドライブのトレー状態やディスク交替後にも設定された読取り倍速でディスクドライブ内ディスク倍速制御ができる。【選択図】  図２
2005004956.tif 000002
【特許請求の範囲】
【請求項１】
ディスク倍速を設定して所定通信規約によって倍速情報として出力するプロセッサと、
前記コンピュータから前記通信規約よりなった倍速情報で現倍速情報を更新して、以後のディスク読取り時に更新した該当倍速情報による倍速を適用するディスクドライブと、を含むことを特徴とするディスク倍速制御装置。
【請求項２】
前記コンピュータは、
倍速が選択できるユーザーインタフェース画面を提供することを特徴とする請求項１に記載のディスク倍速制御装置。
【請求項３】
前記ユーザーインタフェース画面は、
アップ／ダウングラフィックボタンを含み、該当ボタンをクリックすることによって倍速値がそれぞれ増加／減少する機能を含むことを特徴とする請求項２に記載のディスク倍速制御装置。
【請求項４】
前記ユーザーインタフェース画面は、
ユーザーが直接倍速値を入力する機能を含むことを特徴とする請求項２に記載のディスク倍速制御装置。
【請求項５】
前記所定通信規約はＡＴＡＰＩに従ったものであることを特徴とする請求項１に記載のディスク倍速制御装置。
【請求項６】
前記ディスクドライブに保存された倍速情報は新しい倍速情報に更新されるまで維持され続けることを特徴とする請求項１に記載のディスク倍速制御装置。
【請求項７】
ディスク倍速情報を設定する倍速設定部、前記設定された倍速情報を所定通信規約に合うフォーマットに変換して伝送する情報伝送部を含むコンピュータと、
前記情報伝送部で送ったデータを受信する情報受信部、情報受信部で受信された倍速情報に現在のディスク倍速情報を変更する倍速変更部、及び前記倍速変更部で変更した倍速情報を保存する倍速保存部を含むディスクドライブと、を具備し、
この時に倍速保存部に保存された倍速でディスクの読取りが行われることを特徴とするディスク倍速制御装置。
【請求項８】
前記倍速設定部は、
倍速が選択できるユーザーインタフェース画面を提供し、選択された倍速を倍速情報として設定させることを特徴とする請求項７に記載のディスク倍速制御装置。
【請求項９】
前記ユーザーインタフェース画面は、
アップ／ダウングラフィックボタンを含み、該当ボタンをクリックすることによって倍速値がそれぞれ増加／減少する機能を含むことを特徴とする請求項８に記載のディスク倍速制御装置。
【請求項１０】
前記ユーザーインタフェース画面は、
ユーザーが直接倍速値を入力する機能を含むことを特徴とする請求項８に記載のディスク倍速制御装置。
【請求項１１】
前記通信規約はＡＴＡＰＩプロトコルであることを特徴とする請求項７に記載のディスク倍速制御装置。
【請求項１２】
前記倍速保存部は、
ディスクトレーの開閉状態及びディスク交替に関係なく、新しい倍速に更新されるまで該当倍速を維持することを特徴とする請求項７に記載のディスク倍速制御装置。
【請求項１３】
所定通信規約を利用して、コンピュータでディスクドライブのディスク倍速を制御する方法において、
コンピュータで倍速を設定して前記通信規約によって倍速情報としてディスクドライブに伝送する段階と、
ディスクドライブで前記倍速情報を受信して保存し、保存された倍速に相応してディスクを読取る段階を含むことを特徴とするディスク倍速制御方法。
【請求項１４】
倍速が選択できるユーザーインタフェース画面を通じてユーザーが倍速値を決定する段階をさらに含み、
前記ユーザーが定めた倍速値に倍速が設定されることを特徴とする請求項１３に記載のディスク倍速制御方法。
【請求項１５】
前記ユーザーインタフェース画面は、
アップ／ダウングラフィックボタンを含み、該当ボタンをクリックすることによって倍速値がそれぞれ増加／減少する機能を含むことを特徴とする請求項１４に記載のディスク倍速制御方法。
【請求項１６】
前記ユーザーインタフェース画面は、 
ユーザーが直接倍速値を入力する機能を含むことを特徴とする請求項１４に記載のディスク倍速制御方法。
【請求項１７】
前記所定通信規約は、
ＡＴＡＰＩプロトコルであることを特徴とする請求項１３に記載のディスク倍速制御方法。
【請求項１８】
前記保存された倍速情報は、ディスク交替及びディスクトレー状態に関係なしに新しい倍速情報に代替されるまでディスク読取り時に適用されることを特徴とする請求項１３に記載のディスク倍速制御方法。
【請求項１９】
所定通信規約を利用して、コンピュータでディスクドライブのディスク倍速を制御する方法において、
コンピュータを通じてディスク倍速を設定する段階と、
設定された倍速を前記通信規約によって倍速情報としてディスクドライブに伝送する段階と、
受信された倍速情報がディスクドライブ内に保存される段階と、
前記保存された倍速情報に相応する倍速でディスクを読取る段階と、を含むことを特徴とするディスク倍速制御方法。
【請求項２０】
倍速が選択できるユーザーインタフェース画面を通じてユーザーが倍速値を決定する段階をさらに含み、
前記ユーザーが定めた倍速値に倍速が設定されることを特徴とする請求項１９に記載のディスク倍速制御方法。
【請求項２１】
前記ユーザーインタフェース画面は、
アップ／ダウングラフィックボタンを含み、該当ボタンをクリックすることによって倍速値がそれぞれ増加／減少する機能を含むことを特徴とする請求項２０に記載のディスク倍速制御方法。
【請求項２２】
前記ユーザーインタフェース画面は、
ユーザーが直接倍速値を入力する機能を含むことを特徴とする請求項２０に記載のディスク倍速制御方法。
【請求項２３】
前記所定通信規約はＡＴＡＰＩプロトコルであることを特徴とする請求項１９に記載のディスク倍速制御方法。
【請求項２４】
前記保存された倍速情報は、ディスク交替及びディスクトレー状態に関係なしに新しい倍速情報に代替されるまでディスク読取り時に適用されることを特徴とする請求項１９に記載のディスク倍速制御方法。
【請求項２５】
前記保存された倍速情報は、ユーザーがコンピュータにあらかじめ設定されたディスク駆動速度から選択して定められたことを特徴とする請求項１９に記載のディスク倍速制御方法。
【請求項２６】
前記保存された倍速情報は、他のディスク駆動速度の情報に変わるまで維持されることを特徴とする請求項１９に記載のディスク倍速制御方法。
【請求項２７】
コンピュータと連結されたディスクドライブのディスク駆動速度制御装置において、
通信プロトコルによって交換されたディスクドライブとコンピュータ間の情報によってディスクドライブのディスク駆動速度を設定するプロセッサと、
ディスク駆動速度データを伝送及び受信するインタフェース部と、
前記ディスク駆動速度データを保存する保存部と、を含み、
前記ディスク駆動速度は前記ディスク駆動速度データに基づいて維持されることを特徴とする装置。
【請求項２８】
前記通信プロトコルはＡＴＡＰＩであることを特徴とする請求項２７に記載の装置。
【請求項２９】
ユーザーが所望のディスク駆動速度を設定できる入力部をさらに含むことを特徴とする請求項２７に記載の装置。
【請求項３０】
コンピュータと連結されたディスクドライブのディスク駆動速度を制御する方法において、
通信プロトコルによって交換されたディスクドライブとコンピュータ間の情報によってディスクドライブのディスク駆動速度を設定する段階と、
設定されたディスク駆動速度を保存及び維持する段階と、を含むことを特徴とする方法。
【請求項３１】
前記通信プロトコルはＡＴＡＰＩであることを特徴とする請求項３０に記載の方法。
【請求項３２】
ユーザーに所望のディスク駆動速度を選択させうる画面を表示する段階をさらに含み、
前記選択されたディスク駆動速度がディスク駆動速度として設定されて保存されたディスク駆動速度を代替することを特徴とする請求項３０に記載の装置。
【請求項３３】
前記画面はユーザーが所定範囲内で所望のディスク駆動速度の値を増減させうるオプションを提供することを特徴とする請求項３２に記載の装置。
【請求項３４】
前記ディスク駆動速度はディスクドライブのディスクトレーが開閉した後、またはディスク交替が行われた後にも維持され続けることを特徴とする請求項３０に記載の装置。
【請求項３５】
コンピュータと連結されたディスクドライブのディスク駆動速度を制御する方法において、
通信プロトコルによって交換されたディスクドライブとコンピュータ間の情報によってディスクドライブのディスク駆動速度を設定する段階と、
ディスクトレーが開閉した以後にも前記設定されたディスク駆動速度を維持する段階と、を含むことを特徴とする方法。
【発明の詳細な説明】
【技術分野】
【０００１】
本発明は、読取り／書込もうとするディスクの倍速を制御する装置及び方法に係り、より詳細にはディスク交替やトレーの開閉にも変わらないディスク倍速制御装置及び方法に関する。
【背景技術】
【０００２】
最近、メモリ容量の大きいディスク形態の保存媒体が広く普及されると共に、ディスクを駆動するディスクドライブがパソコン上によく装着されている。コンピュータとディスクドライブ間のデータ通信はＡＴＡＰＩ（ＡＴ Ａｔｔａｃｈｍｅｎｔ Ｓｙｓｔｅｍ Ｉｎｔｅｒｆａｃｅ）などのような相互間の通信プロトコルによりなる。
【０００３】
図１は、ＡＴＡＰＩプロトコルが適用されるコンピュータとディスクドライブとの概略的構成図を示した図である。ディスクドライブとの通信を行うために、コンピュータ１００はハードディスク１０１、コントローラ１０２及び第１ＡＴＡＰＩインタフェース部１０３を含む。ハードディスク１０１はディスクドライブ制御及びそれと関連したユーザーインタフェースを提供するプログラムを含む。コントローラ１０２はマイクロプロセッサなどの中央信号処理装置を含み、ハードディスク１０１のプログラムを行う。第１ＡＴＡＰＩインタフェース部１０３はＡＴＡＰＩプロトコルによってコンピュータ１００とディスクドライブ１１０とのデータ交換を行う。ディスクドライブ１１０は光ピックアップ１１１、データ処理部１１２、サーボ部１１３、マイコン１１４、モータードライブ１１５及び第２ＡＴＡＰＩインタフェース部１１６を含む。光ピックアップ１１１は装着されたディスクから信号を検出する。データ処理部１１２は光ピックアップ１１１で検出されたデータを処理する。サーボ部１１３は光ピックアップ１１１の位置を制御するための制御信号を発生させる。マイコン１１４はサーボ部１１３を制御する制御信号を発生させる。モータードライブ１１５はサーボ部１１３からのサーボ制御信号によって光ピックアップ１１１の位置を制御し、ディスク倍速を決定するスピンドルモーターを駆動する。第２ＡＴＡＰＩインタフェース部１１６はデータ処理部１１２から送られたディスク検出データとマイコン１１４とが有する情報などをＡＴＡＰＩプロトコルを利用してコンピュータ１００に伝送し、コンピュータ１００から送られた情報を受信する。
【０００４】
ディスクの倍速制御と関連して図１を参照すれば、ハードディスク１０１に含まれた倍速制御プログラムを利用してユーザーがディスク速度を選択すれば、該当速度情報が第１ＡＴＡＰＩインタフェース部１０３を通じてディスクドライブ１１０に送られる。第２ＡＴＡＰＩインタフェース部１１６は該当倍速情報をマイコン１１４に送り、マイコンはこの倍速情報を加工してサーボ部１１３に送る。サーボ部１１３は該当倍速情報によってモータードライブ１１５を駆動してスピンドルモーターの速度を与えられた倍速に相応する速度にする。
【０００５】
このような従来のディスク倍速制御装置とその方法では、コンピュータとディスクドライブ間の通信規約を利用して、コンピュータ上のプログラムでディスクの倍速を制御する方法を提供している。しかし、コンピュータ上のプログラムを通じて設定されたディスクの倍速は、ディスクドライブ上のディスク交替やディスクトレーの開閉のような状況が発生する度に最初のディスクドライブで設定された基本倍速に戻る。
【発明の開示】
【発明が解決しようとする課題】
【０００６】
本発明の目的は、ユーザーにコンピュータ上にインタフェース画面を提供してディスクドライブの読取り倍速を設定できるようにし、ディスク交替やディスクトレーの開閉後にもコンピュータで設定した倍速をそのまま維持するディスク倍速制御装置及び方法を提供することである。
【課題を解決するための手段】
【０００７】
前記目的を達成するために、ディスク倍速を設定して所定通信規約によって倍速情報として出力するコンピュータと、前記コンピュータから前記通信規約よりなった倍速情報を保存し、以後のディスク読取り時に該当倍速情報による倍速を適用するディスクドライブと、を含む本発明のディスク倍速制御装置を提供する。
前記コンピュータは倍速が選択できるユーザーインタフェース画面を提供し、選択された倍速を倍速情報として設定させることが望ましい。
前記ユーザーインタフェース画面は、アップ／ダウングラフィックボタンを含み、該当ボタンをクリックすることによって倍速値がそれぞれ増加／減少する機能を含むことが望ましい。
前記ユーザーインタフェース画面は、ユーザーが直接倍速値を入力させる機能を含むことが望ましい。
前記所定通信規約はＡＴＡＰＩによるものが望ましい。
前記ディスクドライブに保存された倍速情報は新しい倍速情報に更新されるまで維持され続けることが望ましい。
【０００８】
前記目的を達成するために、ディスク倍速情報を設定する倍速設定部と、前記設定された倍速情報を所定通信規約に合うフォーマットに変換して伝送する情報伝送部と、前記情報伝送部で送ったデータを受信する情報受信部と、情報受信部で受信された倍速情報に現在のディスク倍速情報を変更する倍速変更部と、前記倍速変更部で変更した倍速情報を保存する倍速保存部と、を含み、この時、倍速保存部に保存された倍速でディスクの読取りが行われることを特徴とする本発明のディスク倍速制御装置が提供される。
【０００９】
前記倍速設定部は倍速が選択できるユーザーインタフェース画面を提供し、選択された倍速を倍速情報として設定させることが望ましい。
前記ユーザーインタフェース画面は、アップ／ダウングラフィックボタンを含み、該当ボタンをクリックすることによって倍速値がそれぞれ増加／減少する機能を含むことが望ましい。
前記ユーザーインタフェース画面は、ユーザーが直接倍速値を入力させる機能を含むことが望ましい。
前記通信規約はＡＴＡＰＩプロトコルであることが望ましい。
前記倍速保存部はディスクトレーの開閉状態及びディスク交替に関係なしに、新しい倍速に更新されるまで該当倍速を維持することが望ましい。
【００１０】
前記目的を達成するために、本発明の所定通信規約を利用してコンピュータでディスクドライブのディスク倍速を制御する方法は、コンピュータで倍速を設定して前記通信規約によって倍速情報としてディスクドライブに伝送する段階と、ディスクドライブで前記倍速情報を受信して保存し、保存された倍速に相応してディスクを読取る段階と、を含むことを特徴とする。
前記方法は倍速が選択できるユーザーインタフェース画面を通じてユーザーが倍速値を決定する段階をさらに含み、前記ユーザーが定めた倍速値に倍速が設定されることが望ましい。
前記ユーザーインタフェース画面は、アップ／ダウングラフィックボタンを含み、該当ボタンをクリックすることによって倍速値がそれぞれ増加／減少する機能を含むことが望ましい。
前記ユーザーインタフェース画面は、ユーザーが直接倍速値を入力する機能を含むことが望ましい。
前記所定通信規約はＡＴＡＰＩプロトコルであることが望ましい。
前記保存された倍速情報は、ディスク交替及びディスクトレー状態に関係なしに新しい倍速情報に代替されるまでディスク読取り時に適用されることが望ましい。
【００１１】
前記目的を達成するための、本発明の所定通信規約を利用してコンピュータでディスクドライブのディスク倍速を制御する方法は、コンピュータを通じてディスク倍速を設定する段階と、設定された倍速を前記通信規約によって倍速情報としてディスクドライブに伝送する段階と、受信された倍速情報がディスクドライブ内に保存される段階と、前記保存された倍速情報に相応する倍速でディスクを読取る段階と、を含むことを特徴とする。
前記方法は、倍速が選択できるユーザーインタフェース画面を通じてユーザーが倍速値を決定する段階をさらに含み、前記ユーザーが定めた倍速値に倍速が設定されることが望ましい。
前記ユーザーインタフェース画面は、アップ／ダウングラフィックボタンを含み、該当ボタンをクリックすることによって倍速値がそれぞれ増加／減少する機能を含むことが望ましい。
前記ユーザーインタフェース画面は、ユーザーが直接倍速値を入力する機能を含むことが望ましい。
前記所定通信規約はＡＴＡＰＩプロトコルであることが望ましい。
前記保存された倍速情報は、ディスク交替及びディスクトレー状態に関係なしに新しい倍速情報に代替されるまでディスク読取り時に適用されることが望ましい。
【発明の効果】
【００１２】
コンピュータのインタフェース画面を利用してユーザーは所望のディスクドライブの読取り倍速が選択でき、その選択された倍速に相応してディスクドライブのディスク読取り倍速が変更されれば、ディスクドライブのトレー状態やディスク交替後にも設定された読取り倍速にディスクドライブ内のディスク倍速制御ができる。
【発明を実施するための最良の形態】
【００１３】
以下、図面を参照して本発明を詳細に説明する。
図２は、本発明のディスク倍速制御装置の概略的構成図を示した図である。図２のディスク倍速制御装置はコンピュータ２００とディスクドライブ２１０とよりなる。倍速制御と関連してコンピュータ２００は倍速設定部２０１及び情報伝送部２０２を含む。倍速制御と関連して、ディスクドライブ２１０は情報受信部２１１、倍速変更部２１２、倍速保存部２１３、ディスク駆動サーボユニット２１４、ディスク２１５を含む。
【００１４】
コンピュータ２００の倍速設定部２０１はユーザーから与えられたディスク倍速を設定する。コンピュータ２００はユーザーに倍速設定のためのインタフェース画面（図示せず）が提供できる。このインタフェース画面を通じてユーザーは、ディスクドライブ２１０で駆動可能な所定範囲内の倍速を、アップまたはダウンボタン機能を利用して選択できる。すなわち、インタフェース画面は、アップ及びダウングラフィックボタンを含んでユーザーが該当ボタンをクリックすることによって倍速値がそれぞれ増加／減少する機能を含みうる。また、インタフェース画面を通じてユーザーはプログラムがディスプレイ上に提供する複数の倍速情報のうち所望の倍速情報が選択できる。その外に、インタフェース画面で提供する倍速入力窓を通じてユーザーが直接所望の倍速値を入力することもできる。このようなインタフェース画面を通じてユーザーが選択または入力した倍速が倍速設定部２０１で設定される。情報伝送部２０２はコンピュータ２００とディスクドライブ２１０間の通信規約によって倍速設定部２０１で設定されたディスク倍速情報を伝送する。
【００１５】
ディスクドライブ２１０の情報受信部２１１はコンピュータ２００の情報伝送部２０２から伝送された倍速情報を受信する。倍速変更部２１２は情報受信部２１１を通じて受けたディスク倍速情報によって現在のディスク倍速を変更する。倍速保存部２１３は倍速変更部２１２で変更したディスク倍速を保存する。倍速保存部２１３に保存されたディスク倍速によってディスク駆動サーボ２１３の制御が行われる。倍速保存部２１３に新しく変更されたディスク倍速が保存され、これにより、ディスク倍速制御が行われるので、ディスクドライブ２１０でディスクが交替されるか、またはディスクトレー（図示せず）の開閉動作が行われた後にも変更し続けられたディスク倍速でディスク読取りが行われうる。ディスク倍速の変化は、コンピュータ２００の倍速設定部２０１から新しい倍速が設定されて前述した過程を通じてディスクドライブ２１０の倍速保存部２１３の以前の倍速情報を代替して新しく保存された後で可能になる。
【００１６】
図２の情報伝送部２０２と情報受信部２１１とはそれぞれコンピュータ２００とディスクドライブ２１０間の通信規約による送受信インタフェースに該当する。例えば、ＡＴＡＰＩプロトコルを使用するインタフェース部がこれらに該当する。
【００１７】
図３は、本発明のディスク倍速制御方法のフローチャートを示した図である。
まず、コンピュータ上の所定ディスク倍速設定ソフトウェアを通じて変更する倍速が設定される（３００段階）。倍速が設定されるために、コンピュータはユーザーに倍速設定のためのインタフェース画面がまず提供できる。このインタフェース画面を通じてユーザーは、ディスクドライブで駆動可能な所定範囲内の倍速を、アップまたはダウンボタン機能を利用して選択できる。また、インタフェース画面を通じてユーザーはプログラムがディスプレイ上に提供する複数の倍速情報のうち所望の倍速情報が選択できる。その外に、インタフェース画面で提供する倍速入力窓を通じてユーザーが直接所望の倍速値を入力することもできる。インタフェース画面を通じてユーザーが選択または入力した値が倍速値として設定される。設定された倍速情報は定義された通信規約（プロトコル）によるフォーマットに変換されてディスクドライブに伝送される（３１０段階）。一般的にコンピュータとディスクドライブ間の情報交換はＡＴＡＰＩプロトコルによる。受信された倍速情報で以前の倍速情報を更新して所定のメモリに保存する（３２０段階）。メモリに保存された倍速情報はディスクドライブでディスクが交替されるなどのディスクトレー開閉状態（またはイジェクトボタン使用状態）に関係なしに一旦保存された倍速情報がさらに更新されるまでディスク読取り倍速として機能する。保存された倍速情報に相応してディスク読取り倍速を制御する（３３０段階）。
【産業上の利用可能性】
【００１８】
本発明は、ディスクドライブ駆動速度制御に関わり、各種ディスクドライブ及びそれを含むコンピュータ上に応用されうる。
【図面の簡単な説明】
【００１９】
【図１】ＡＴＡＰＩプロトコルが適用されるコンピュータとディスクドライブとの概略的構成図である。
【図２】本発明のディスク倍速制御装置の概略的構成図である。
【図３】本発明のディスク倍速制御方法のフローチャートである。
【符号の説明】
【００２０】
２００      コンピュータ
２０１      倍速設定部
２０２      情報伝送部
２１０      ディスクドライブ
２１１      情報受信部
２１２      倍速変更部
２１３      倍速保存部
２１４      ディスク駆動サーボユニット
２１５      ディスク
【図１】
2005004956.tif 000003
【図２】
2005004956.tif 000004
【図３】
2005004956.tif 000005